(57)【要約】【課題】  １つの表示器で、乗りかごの運転状況に関する多数の情報を表示して、表示器の使用個数、占有面積などを大幅に低減する。【解決手段】  乗り場階床表示器５を構成するＢ表示器８、各数字表示器９の各表示バー１０毎に、複数の３色発光器１１を配置し、主制御盤から出力される階床数値データに基づき、各表示バー１０を構成する３色発光器１１を選択するとともに、主制御盤から上昇信号、下降信号、停止信号のいずれが出力されているかに基づき、各３色発光器１１を構成する緑色ＬＥＤ素子１２、赤色ＬＥＤ素子１３、橙色ＬＥＤ素子１４のいずれかを選択して、これらを発光する。【選択図】      図１
2005112484.tif 000002
【特許請求の範囲】
【請求項１】
エレベータの乗り場または乗りかご内に設けられるエレベータ階床表示装置において、
前記乗りかごの現在状況に応じて発光色を決定する表示制御基板と、
この表示制御基板で指定された色で発光して前記乗りかごの現在位置階、運転方向または停止階の少なくともいずれかの情報を表示する表示器と、
を備えたことを特徴とするエレベータ階床表示装置。
【請求項２】
エレベータの乗りかご内に設けられるエレベータ階床表示装置において、
前記乗りかごの現在状況に応じて発光色を決定する表示制御基板と、
この表示制御基板で指定された色で発光して呼びの登録確認、前記乗りかごの現在位置階、運転方向または停止階の少なくともいずれかの情報を表示する表示器と、
を備えたことを特徴とするエレベータ階床表示装置。
【請求項３】
請求項１、２のいずれかに記載のエレベータ階床表示装置において、
前記表示器は、赤色発光素子、緑色発光素子および青色発光素子を備え、
前記表示制御基板は前記赤色発光素子、前記緑色発光素子および前記青色発光素子に対する駆動電流値を一括または個別に調整して前記表示器の発光色を決定する、
ことを特徴とするエレベータ階床表示装置。
【発明の詳細な説明】
【技術分野】
【０００１】
本発明は、エレベータシステムで使用されるエレベータ階床表示装置に係わり、特に少ない数の表示器で、階床表示、運転方向表示などを行うエレベータ階床表示装置に関する。
【背景技術】
【０００２】
エレベータシステムで使用される従来のエレベータ階床表示装置では、階床表示器によって、乗りかごが現在停止している階床または通過中の階床などを表示し、また上昇表示器、下降表示器によってエレベータの運転方向を表示する。
【０００３】
また、エレベータの利用者などにより、乗りかご内の呼び釦などが押されたとき、押された呼び釦を点灯して、呼びが登録されたことを乗りかご内の利用者などに知らせる。なお、先行例としては特許文献１（特開平８−２２５２６４号公報）がある。
【特許文献１】特開平８−２２５２６４号公報
【発明の開示】
【発明が解決しようとする課題】
【０００４】
ところで、このようなエレベータでは、乗りかご内および乗り場において、階床表示のスペースが少ないとき、表示器自体の小型化したり、あるいは表示灯などを省略するなどの処置が必要になることが多かった。
【０００５】
また、これら階床表示器、上昇表示器、下降表示器、呼び釦などは各々、異なった発光色で発光させていることから、発光色毎に表示器を作成しなければならないことから、カラーバリエーション数を多くすると、その分だけ、表示器の種類数が増えてしまうという問題があった。
【０００６】
本発明は上記の事情に鑑み、請求項１では、１つの表示器によって、乗りかごの運転状況に関する多数の情報を表示することができ、これによって表示器の使用個数、占有面積などを大幅に低減することができるエレベータ階床表示装置を提供することを目的としている。
【０００７】
また、請求項２では、乗りかご内に設けられた各呼び釦によって、呼びの登録内容のみならず、乗りかごの運転方向、現在位置階などを表示することができ、これによって階床表示装置などを不要にして、システム全体の大幅なコストダウンを達成することができるエレベータ階床表示装置を提供することを目的としている。
【０００８】
また、請求項３では、表示器によって、表示される色の数を増やして、乗りかごの運転状況に関する多数の情報を表示することができ、これによって表示器の使用個数、占有面積などを大幅に低減することができるエレベータ階床表示装置を提供することを目的としている。
【課題を解決するための手段】
【０００９】
上記の目的を達成するために本発明は、請求項１では、エレベータの乗り場または乗りかご内に設けられるエレベータ階床表示装置において、前記乗りかごの現在状況に応じて発光色を決定する表示制御基板と、この表示制御基板で指定された色で発光して前記乗りかごの現在位置階、運転方向または停止階の少なくともいずれかの情報を表示する表示器とを備えたことを特徴としている。
【００１０】
また、請求項２では、エレベータの乗りかご内に設けられるエレベータ階床表示装置において、前記乗りかごの現在状況に応じて発光色を決定する表示制御基板と、この表示制御基板で指定された色で発光して呼びの登録確認、前記乗りかごの現在位置階、運転方向または停止階の少なくともいずれかの情報を表示する表示器とを備えたことを特徴としている。
【００１１】
また、請求項３では、請求項１、２のいずれかに記載のエレベータ階床表示装置において、前記表示器は、赤色発光素子、緑色発光素子および青色発光素子を備え、前記表示制御基板は前記赤色発光素子、前記緑色発光素子および前記青色発光素子に対する駆動電流値を一括または個別に調整して前記表示器の発光色を決定することを特徴としている。
【００１２】
上記の構成において、請求項１では、乗りかごの現在状況に基づき、表示制御基板によって発光色を決定するとともに、前記発光色で表示器を発光させて、前記乗りかごの現在位置階、運転方向または停止階のうち、少なくともいずれか２つ以上の情報を表示することにより、１つの表示器によって、乗りかごの運転状況に関する多数の情報を表示して、表示器の使用個数、占有面積などを大幅に低減する。
【００１３】
また、請求項２では、乗りかごの現在状況に基づき、表示制御基板によって、発光色を決定するとともに、前記発光色で、表示器を発光させて、呼びの登録確認、前記乗りかごの現在位置階、運転方向または停止階の少なくともいずれかの情報を表示することにより、乗りかご内に設けられた各呼び釦によって、呼びの登録内容のみならず、乗りかごの運転方向、現在位置階などを表示して、階床表示装置などを不要にし、システム全体の大幅なコストダウンを達成する。
【００１４】
また、請求項３では、表示器として、赤色発光素子、緑色発光素子および青色発光素子を備えたものを使用し、前記表示制御基板によって、前記赤色発光素子、前記緑色発光素子、前記青色発光素子に対する駆動電流値を一括または個別に調整して、前記表示器の発光色を決定することにより、表示器によって、表示される色の数を増やして、乗りかごの運転状況に関する多数の情報を表示し、これによって表示器の使用個数、占有面積などを大幅に低減する。
【発明の効果】
【００１５】
本発明によれば、請求項１のエレベータ階床表示装置では、１つの表示器によって、乗りかごの運転状況に関する多数の情報を表示することができ、これによって表示器の使用個数、占有面積などを大幅に低減することができる。
【００１６】
また、請求項２のエレベータ階床表示装置では、乗りかご内に設けられた各呼び釦によって、呼びの登録内容のみならず、乗りかごの運転方向、現在位置階などを表示することができ、これによって階床表示装置などを不要にして、システム全体の大幅なコストダウンを達成することができる。
【００１７】
また、請求項３のエレベータ階床表示装置では、表示器によって、表示される色の数を増やして、乗りかごの運転状況に関する多数の情報を表示することができ、これによって表示器の使用個数、占有面積などを大幅に低減することができる。
【発明を実施するための最良の形態】
【００１８】
《第１の実施形態》
図１は本発明によるエレベータ階床表示装置の第１の実施形態を示す正面図である。
【００１９】
この図に示すエレベータ階床表示装置１は、各階の乗り場２に開閉自在に設置された出入り口３を囲むように設置される扉出入り枠４の上に配置され、各色の数値を用いて、乗りかごの通過階床、運転方向などを表示する乗り場階床表示器５と、乗り場階床表示器５の裏面に配置され、乗り場操作盤６などの操作内容に応じて主制御盤（図示は省略する）などから出力される上昇信号、下降信号、停止信号などを取り込み、乗り場階床表示器５の発光色、表示内容を決定する表示制御基板７とを備えており、乗りかごが上昇運転中であれば、乗り場階床表示器５に緑色の数値を表示して、現在位置階、通過階などを知らせ、また乗りかごが下降運転中であれば、乗り場階床表示器５に赤色の数値を表示して、現在位置階、通過階などを知らせ、また乗りかごが停止中であれば、乗り場階床表示器５に橙色の数値を表示して、現在位置階などを知らせる。
【００２０】
乗り場階床表示器５は、図２に示すように、乗りかごの現在位置が地下であるかどうかを示すＢ表示器８と、乗りかごの現在階床などを示す複数の数字表示器９とを備えており、Ｂ表示器８、各数字表示器９を構成する各表示バー１０、例えば図３に示すように、図２の丸で囲んだ部分Ａの拡大図に示す各表示バー１０に各々、設けられた多数の３色発光器１１を構成する各色ＬＥＤ素子、例えば図４に示すように、緑色で発光する緑色ＬＥＤ素子１２、赤色で発光する赤色ＬＥＤ素子１３、橙色で発光する橙色ＬＥＤ素子１４のいずれかを点灯し、乗りかごの現在階床、通過階床を示す数字とともに、その発光色で、乗りかごが上昇運転中であるのか、下降運転中であるのか、停止中であるのかを表示する。
【００２１】
また、表示制御基板７は、図５に示すように、乗り場階床表示器５の裏面に配置された間仕切りボックス１５に取り付けられ、図６に示すように、各３色発光器１１の緑色ＬＥＤ素子１２、赤色ＬＥＤ素子１３、橙色ＬＥＤ素子１４などが固定されるＬＥＤ用基板１６と、ＬＥＤ用基板１６の裏面に配置され、緑色ＬＥＤ素子１２、赤色ＬＥＤ素子１３、橙色ＬＥＤ素子１４に供給されるＬＥＤ駆動電流の値を制限する電流制限抵抗１７などが取り付けられた制限抵抗用基板１８と、主制御盤から上昇信号、下降信号、停止信号のいずれが出力されているかに基づき、各３色発光器１１を構成する緑色ＬＥＤ素子１２、赤色ＬＥＤ素子１３、橙色ＬＥＤ素子１４のいずれかを選択するＬＥＤ切り替え部１９、主制御盤から出力される階床数値データに応じて各表示バー１０を構成する３色発光器１１を選択し、ＬＥＤ駆動電流を供給するＬＥＤ駆動部２０などを有する駆動基板２１とを備えている。
【００２２】
そして、主制御盤から出力される階床数値データに基づき、ＬＥＤ駆動部２０によって、各表示バー１０を構成する３色発光器１１を選択するとともに、主制御盤から上昇信号が出力されているとき、ＬＥＤ切り替え部１９によって、ＬＥＤ駆動部２０で選択された各３色発光器１１内の緑色ＬＥＤ素子１２を選択し、また下降信号が出力されているとき、ＬＥＤ駆動部２０で選択された各３色発光器１１内の赤色ＬＥＤ素子１３を選択し、また停止信号が出力されているとき、ＬＥＤ駆動部２０で選択された各３色発光器１１内の橙色ＬＥＤ素子１４を選択して、これらを発光する。
【００２３】
このように、第１の実施形態では、乗り場階床表示器５を構成するＢ表示器８、各数字表示器９の各表示バー１０毎に、複数の３色発光器１１を配置し、主制御盤から出力される階床数値データに基づき、各表示バー１０を構成する３色発光器１１を選択するとともに、主制御盤から上昇信号、下降信号、停止信号のいずれが出力されているかに基づき、各３色発光器１１を構成する緑色ＬＥＤ素子１２、赤色ＬＥＤ素子１３、橙色ＬＥＤ素子１４のいずれかを選択して、これらを発光するようにしているので、Ｂ表示器８、各数字表示器９によって、乗りかごの運転状況に関する多数の情報を表示することができ、これによって表示器の使用個数、占有面積などを大幅に低減することができる。
【００２４】
また、第１の実施形態では、本発明によるエレベータ階床表示装置を各階乗り場２の扉出入り枠４の上に配置された乗り場階床表示器５として使用するようにしているが、図７に示すように、乗りかご２２に、開閉自在に設置されたかご扉２３の上側に配置されるかご階床表示器２４として使用するようにしても良い。
【００２５】
《第２の実施形態》
図８は本発明によるエレベータ階床表示装置の第２の実施形態を示す正面図である。
【００２６】
この図に示すエレベータ階床表示装置３１は、乗りかご３２に設置されたかご扉３３の横に配置され、エレベータの利用者によって、操作されたとき、操作内容に応じた呼びを生成するとともに、予め決められている色で、乗りかご３２の通過階床、運転方向などを表示するかご操作盤３４と、かご操作盤３４の裏面に配置され、かご操作盤３４、乗り場操作盤などの操作内容に応じて主制御盤（図示は省略する）などから呼び登録信号、上昇信号、下降信号、かご位置信号などを取り込み、かご操作盤３４に設けられた各呼び釦３６（図９参照）の発光色などを決定する表示制御基板３５とを備えており、かご操作盤３４などの操作内容に応じて呼びを発生して、主制御盤に呼びを登録しつつ、かご操作盤３４に設けられている各呼び釦３６のうち、登録された呼びに対応する呼び釦３６を橙色にして、呼びが登録されたことを表示するとともに、乗りかご３２の現在位置階に対応する呼び釦３６を赤色にして、乗りかご３２の現在位置階を表示し、またこのとき、乗りかご３２が上昇中であれば、乗りかご３２の現在位置階より、上の階に対応する各呼び釦３６を緑色で点滅して、乗りかご３２が上昇中であることを表示し、また乗りかご３２が下降中であれば、乗りかご３２の現在位置階より、下の階に対応する各呼び釦３６を緑色で点滅して、乗りかご３２が下降中であることを表示する。
【００２７】
かご操作盤３４は、図９に示すように、管理室内の管理者などと通話するときなどに押される通話釦３７と、管理者などと通話するときなどに使用されるマイク／スピーカ３８と、かご扉３３を開かせる戸開釦３９と、かご扉３３を閉じする戸閉釦４０と、キートップ上に階数などが刻印され、図１０に示すように、内部に緑色ＬＥＤ素子４１、赤色ＬＥＤ素子４２、橙色ＬＥＤ素子４３を有する３色発光器４４が配置された複数の呼び釦３６とを備えており、各呼び釦３６のいずれかが押されて、呼びが登録されたとき、登録された呼びに対応する呼び釦３６内の橙色ＬＥＤ素子４３を点灯させて、呼びが登録されたことを表示するとともに、乗りかご３２の現在位置に対応した呼び釦３６内の赤色ＬＥＤ素子４２を点灯させて、乗りかご３２の現在位置階を表示する。また、このとき、乗りかご３２が上昇中であれば、乗りかご３２の現在位置階より、上の階に対応する各呼び釦３６内の緑色ＬＥＤ素子４１を点滅させて、乗りかご３２が上昇中であることを表示し、また、乗りかご３２が下降中であれば、乗りかご３２の現在位置階より、下の階に対応する各呼び釦３６内の緑色ＬＥＤ素子４１を点滅させて、乗りかご３２が下降中であることを表示する。
【００２８】
また、表示制御基板３５は、図１１に示すように、かご操作盤３４の裏面に配置された各間仕切りボックス４５に各々、取り付けられ、図１２に示すように、緑色ＬＥＤ素子４１、赤色ＬＥＤ素子４２、橙色ＬＥＤ素子４３、これら緑色ＬＥＤ素子４１、赤色ＬＥＤ素子４２、橙色ＬＥＤ素子４３に供給されるＬＥＤ駆動電流の値を制限する電流制限抵抗４６などが取り付けられた複数のＬＥＤ用基板４７と、主制御盤から呼び釦登録信号が出力されているとき、各呼び釦３６のうち、呼び釦登録信号で指定された呼び釦３６にＬＥＤ駆動電流を供給して、この呼び釦３６内にある橙色ＬＥＤ素子４３を点灯する呼び釦駆動部４８、主制御盤からかご位置信号が出力されているとき、各呼び釦３６のうち、かご位置信号で指定された呼び釦３６にＬＥＤ駆動電流を供給して、この呼び釦３６内にある赤色ＬＥＤ素子４２を点灯するかご位置表示駆動部４９、主制御盤から上昇信号または下降信号が出力されているとき、主制御盤から出力されているかご位置信号に基づき、乗りかご３２の現在位置階より上の階を示す各呼び釦３６または下の階を示す各呼び釦３６のいずれか一方を選択する表示判定部５０、表示判定部５０によって選択された各呼び釦３６にＬＥＤ駆動電流を供給して、これらの各呼び釦３６内にある緑色ＬＥＤ素子４１を点滅するかご運転方向駆動部５１などを有する駆動基板５２とを備えている。
【００２９】
そして、各呼び釦３６のいずれかが押されて、呼びが登録され、主制御盤から呼び登録信号が出力されているとき、呼び釦駆動部４８によって、登録された呼びに対応する呼び釦３６内の橙色ＬＥＤ素子４３を点灯させて、呼びが登録されたことを表示する。また、主制御盤からかご位置信号が出力されているとき、かご位置表示駆動部４９によって、乗りかご３２の現在位置階に対応する呼び釦３６内の赤色ＬＥＤ素子４２を点灯させて、乗りかご３２の位置を表示する。また、主制御盤から上昇信号が出力されているとき、表示判定部５０と、位置表示駆動部５１とによって、乗りかご３２の現在位置階より、上の階に対応する各呼び釦３６内の緑色ＬＥＤ素子４１を点滅させて、乗りかご３２が上昇中であることを表示し、また主制御盤から下降信号が出力されているとき、表示判定部５０と、位置表示駆動部５１とによって、乗りかご３２の現在位置階より、下の階に対応する各呼び釦３６内の緑色ＬＥＤ素子４１を点滅させて、乗りかご３２が下降中であることを表示する。
【００３０】
このように、第２の実施形態では、かご操作盤３４に設けられている各呼び釦３６内に３色発光器４４を各々、配置し、かご操作盤３４などの操作内容に応じて呼びを発生して、主制御盤に呼びを登録しながら、かご操作盤３４に設けられている各呼び釦３６のうち、登録された呼びに対応する呼び釦３６を橙色にして、呼びが登録されたことを表示するとともに、乗りかご３２の現在位置に対応する呼び釦３６を赤色にして、乗りかご３２の現在位置階を表示し、またこのとき、乗りかご３２が上昇中であれば、乗りかご３２の現在位置階より、上の階に対応する各呼び釦３６を緑色で点滅させて、乗りかご３２が上昇中であることを表示し、また乗りかご３２が下降中であれば、乗りかご３２の現在位置階より、下の階に対応する各呼び釦３６を緑色で点滅させて、乗りかご３２が下降中であることを表示するようにしているので、乗りかご３２内に設けられた各呼び釦３６によって、呼びの登録内容のみならず、乗りかご３２の運転方向、現在位置階などを表示することができ、これによって階床表示装置などを不要にして、システム全体の大幅なコストダウンを達成することができる。
【００３１】
《他の実施形態》
また、上述した第１の実施形態、第２の実施形態では、３色発光器１１、４４を構成する緑色ＬＥＤ素子１２、４１、赤色ＬＥＤ素子１３、４２、橙色ＬＥＤ素子１４、４３に対し、１つの電流制限抵抗１７、４６を接続するようにしているが、図１３に示すように、緑色ＬＥＤ素子６１、赤色ＬＥＤ素子６２、青色ＬＥＤ素子６３を持つ３色発光器６４と、複数の電流制限抵抗６５、これら各電流制限抵抗６５のなかの１つを選択するセレクタ６６が配置された制限抵抗基板６７とを使用し、ＬＥＤ切り替え部６８によって、緑色ＬＥＤ素子６１、赤色ＬＥＤ素子６２、青色ＬＥＤ素子６３のいずれか１つまたは２つ、あるいは全てを選択して、ＬＥＤ駆動部にＬＥＤ駆動電流を供給し、セレクタ６６で選択された電流制限抵抗６５によって、ＬＥＤ駆動電流の値を調整するようにしても良い。
【００３２】
このように構成することにより、７色×電流制限抵抗６５の数だけ、発光色を増やすことができる。
【００３３】
また、上述した第１の実施形態、第２の実施形態では、３色発光器１１、４４を構成する緑色ＬＥＤ素子１２、４１、赤色ＬＥＤ素子１３、４２、橙色ＬＥＤ素子１４、４３のアノード側に１つの電流制限抵抗１７、４６を接続するようにしているが、これら緑色ＬＥＤ素子１２、４１、赤色ＬＥＤ素子１３、４２、橙色ＬＥＤ素子１４、４３のカソード側に各々、複数の電流制限抵抗を接続して、これら緑色ＬＥＤ素子１２、４１、赤色ＬＥＤ素子１３、４２、橙色ＬＥＤ素子１４、４３のいずれか１つまたは２つ、あるいは全てを選択して点灯させ、発光色をさらに増やすようにしても良い。
【図面の簡単な説明】
【００３４】
【図１】本発明によるエレベータ階床表示装置の第１の実施形態を示す正面図である。
【図２】図１に示す乗り場階床表示器の詳細な構成例を示す正面図である。
【図３】図２の丸で囲んだ部分Ａの拡大図である。
【図４】図３に示す３色発光器の詳細な構成例を示す正面図である。
【図５】図１に示す乗り場階床表示器の詳細な構成例を示す側面図である。
【図６】図１に示す表示制御基板の回路構成例を示すブロック図である。
【図７】本発明によるエレベータ階床表示装置の第１の実施形態の変形例を示す正面図である。
【図８】本発明によるエレベータ階床表示装置の第２の実施形態を示す正面図である。
【図９】図８に示すかご操作盤の詳細な構成例を示す正面図である。
【図１０】図９に示す呼び釦の詳細な構成例を示す正面図である。
【図１１】図８に示すかご操作盤の詳細な構成例を示す側面図である。
【図１２】図８に示す表示制御基板の回路構成例を示すブロック図である。
【図１３】本発明によるエレベータ階床表示装置の第３の実施形態を示すブロック図である。
【符号の説明】
【００３５】
１：エレベータ階床表示装置
２：乗り場
３：出入り口
４：扉出入り枠
５：乗り場階床表示器
６：乗り場操作盤
７、３５：表示制御基板
８：Ｂ表示器（表示器）
９：数字表示器（表示器）
１０：表示バー
１１、４４、６４：３色発光器
１２、４１、６１：緑色ＬＥＤ素子
１３、４２、６２：赤色ＬＥＤ素子
１４、４３：橙色ＬＥＤ素子
１５、４５：間仕切りボックス
１６、４７：ＬＥＤ用基板
１７、４６、６５：電流制限抵抗
１８：制限抵抗用基板
１９、６８：ＬＥＤ切り替え部
２０：ＬＥＤ駆動部
２１、５２：駆動基板
２２、３２：乗りかご
２３、３３：かご扉
２４：かご階床表示器
３１：エレベータ階床表示装置
３４：かご操作盤
３６：呼び釦（表示器）
３７：通話釦
３８：マイク／スピーカ
３９：戸開釦
４０：戸閉釦
４８：呼び釦駆動部
４９：かご位置表示駆動部
５０：表示判定部
５１：かご運転方向駆動部
６３：青色ＬＥＤ素子
６６：セレクタ
６７：制限抵抗基板
【図１】
2005112484.tif 000003
【図２】
2005112484.tif 000004
【図３】
2005112484.tif 000005
【図４】
2005112484.tif 000006
【図５】
2005112484.tif 000007
【図６】
2005112484.tif 000008
【図７】
2005112484.tif 000009
【図８】
2005112484.tif 000010
【図９】
2005112484.tif 000011
【図１０】
2005112484.tif 000012
【図１１】
2005112484.tif 000013
【図１２】
2005112484.tif 000014
【図１３】
2005112484.tif 000015